(57)【要約】【課題】身障者でも容易に複雑なコピー動作を行なえる。【解決手段】タッチパネルディスプレイで構成されている表示手段を有する複写装置において、自動実行及び自動認識するためのタイマ手段と、前記タイマのタイマ時間を設定できる設定手段と、少なくとも第１の入力モードとは独立して、第２の入力モードを有し、前記第２の入力モードは第１の入力モードよりも、タッチパネルの検知エリアを広げ、タッチパネルが押されると必ず、どのキーが押されたかを判断する判断手段を有する液晶表示装置。【選択図】        図１
2004303154.tif 000002
【特許請求の範囲】
【請求項１】
タッチパネルディスプレイで構成されている表示手段を有する複写装置において、少なくとも第１の入力モードと、第２の入力モードを有し、前記第２の入力モードの場合に、画面のフォントを大きくする等、第１の入力モードと異なる設定画面を表示し、かつタッチパネルの検知エリアを広げ、ボタン無入力エリアを設けないことを特徴とする液晶表示装置。
【請求項２】
前記記載の第２の入力モードにおいて、前記タッチパネルディスプレイにおけるある特定のエリアを設けて、前記特定のエリアを入力された場合は、入力されたコマンドが正しいかどうか確認するメッセージを表示し、所定時間経っても、応答がない場合は、自動的に入力したコマンドが有効であると認識する前記請求項１記載の液晶表示装置。
【請求項３】
前記第２の入力モードにおいて、通常の動作モードに比べて、タッチパネル入力時のサンプリング時間及びサンプリング回数をそれぞれ自由に設定できる設定手段を有することを特徴とする前記請求項１〜２記載の液晶表示装置。
【請求項４】
入力されたコマンドを音声で知らせる通知手段を有し、前記記載の第２の入力モードにおいて、前記通知手段がユーザに通知し、その後所定時間経っても、応答がない場合は、自動的に通知したコマンドが有効となる前記請求項１〜３のいずれか記載の液晶表示装置。
【請求項５】
前記請求項２・４記載の自動実行までの所定時間は、操作部より自由に可変できるタイマ設定手段を有することを特徴とする請求項１〜４記載の液晶表示装置。
【請求項６】
前記第２の入力モードにおいては、画面手動で切り替える入力手段と、所定時間後に自動で画面が切り替える手段を有することを特徴とする前記請求項１〜５記載の液晶表示装置。
【請求項７】
前記請求項６記載の自動画面切り替えまでの所定時間を、操作部より自由に可変できるタイマ設定手段を有することを特徴とする請求項１〜６記載の液晶表示装置。
【請求項８】
第２の入力モードにおいて、所定時間内にタッチパネルを所定回数押すことによって、各種設定が行なうことができる液晶表示装置。
【発明の詳細な説明】
【０００１】
【発明の属する技術分野】
本発明は、各種動作モード等をタッチパネルで設定する複写機等の表示パネルに関するものである。
【０００２】
【従来の技術】
従来、複写機において、様々の機能が搭載され、その設定のための操作が複雑になってきている。そこで、特開平９−６１９０号公報記載のようにキーの機能やモードの概要を表示させるガイダンスキーを設けられるようになっている。上記ガイダンスキーを入力した場合は、所望の動作モードの設定に関する説明をＬＣＤに表示させながら、順次ガイダンスキーの入力に応答して、所望の動作モードを設定する設定手段と、ガイダンスキーの入力なしに、各動作モードを設定する設定手段を有する構成になっている。これらにより、ガイダンス表示とモード設定画面を独立させずに一体化でき、操作性を向上させている。また、不慣れな操作者と慣れた操作者が、それぞれの設定手段を用いて操作を可能にしている。
【０００３】
【発明が解決しようとする課題】
近年の複写機においては、タッチパネル入力可能な表示パネルがほとんどである。また、一画面に、多数の設定ができるように、十個前後のボタンが設けられている。確かに健全者においては、同一画面から各種操作が可能なため、操作性が良く感じられ、ガイダンスキーを儲けることにより、各設定モードにおける動作についても、理解することができるようになってきている。けれども、手の不自由な方にとっては、タッチパネル上の押す領域が分かっていても、動作設定項目数とＬＣＤ画面サイズとの兼ね合いから、入力許容範囲が狭くなるため、誤入力を招く危険性があり、各種設定を行なえないことが生じている。また、目の不自由な方にとっては、タッチパネルでは、ＫＥＹボタンのように点字もなく、複雑な設定をして印刷することは不可能と言って過言ではない。
【０００４】
【課題を解決するための手段】
タッチパネルディスプレイで構成されている表示手段を有する複写装置において、少なくとも第１の入力モードと、第２の入力モードを有し、第２の入力モードの場合に、表示画面の文字のフォントやアイコンを大きくする等、通常の第１の入力モードと異なる設定画面を表示させ、同時にタッチパネルの検知エリアを広げ、入力されると必ず、何かしらかの入力を受け付けるようなモードを設けたことを特徴とする。また、タッチパネルから入力については、境界領域を設けて、境界領域を入力された場合は、入力されたコマンドが正しいかどうか確認するメッセージをディスプレイに表示する。あるいは、スピーカーから知らせる等の伝達手段を設け、その伝達手段からの情報を受けて、所定時間経っても、ユーザからの応答がない場合は、自動的に前もって入力したコマンドが有効であると認識する操作手段を設けたことを特徴とする。
【０００５】
【発明の実施の形態】
（第１の実施例）
図１、図２にそれぞれ本発明が適用できる複写機の外観図と構成を表すブロック図を示す。図中２００は制御部である。タッチパネル２０７がＬＣＤ２０６の上に重ねてあり、表示部１０２を構成している。ユーザがその表面をタッチすることでタッチされた座標をインターフェイス部２０５に送っている。インターフェイス部２０５では転送されてきた座標をＣＰＵ２０１に送っている。ＣＰＵ２０１では転送された座標からタッチパネル２０７がどのキーを押したかを判断している。ここで、第２の入力モードの際は、その認識した座標から必ず、どのキーが入力されたかを判断する。但し、認識エリアの境界の座標を返された時のみ、その判断したキー入力が正しいのか確認するようになっている。また、タッチキー以外にテンキー１０３、入力モード切替キー１０４、ストップキー１０５、スタートキー１０６が備わっている。また、表示部には、入力したコマンドを音声でユーザに知らせるためのスピーカーも備えてある。各種動作モードの設定画面のデータ、制御プログラム等を記憶するＲＯＭ２０３である。現在の設定状態のデータを記憶しておくためのＲＡＭ２０２である。ＣＰＵ２０１は、装置の状態及び、ユーザによるタッチパネルへの入力に応じた設定画面を構成して、表示制御部２０４に転送する。
【０００６】
タッチパネルの認識方法については、以下に説明する。大画面ＬＣＤの場合は、デジタルタイプのタッチパネルでは、デジタルスイッチがたくさん必要になるため、アナログタイプのタッチパネルが通常使われることが多い。ここでは、アナログ式のタッチパネルに制御についてのみ記述する。タッチパネルの構成とブロック図をそれぞれ図３と図４に示す。
【０００７】
アナログタイプのタッチパネルは、図３に示すようにガラスに透明電極を上面と下面が合わさる面に画面全体に印刷してあり、指で上面を押した際の接触した部位の抵抗値成分を電圧値として４つの出力端子から読む構成になっている。つまり、Ｘの電圧範囲はＸｍｉｎ〜Ｘｍａｘ、Ｙの電圧範囲はＹｍｉｎ〜Ｙｍａｘまでである。
【０００８】
次に図４を用いて、電圧値の取り出し方を説明する。Ｔｒ１、Ｔｒ２をＯｎすることでタッチパネルのＸ側を駆動し、Ｙ側からＸ位置の出力を取り出す。一方、Ｔｒ３、Ｔｒ４をＯｎすることでタッチパネルのＹ側を駆動し、Ｘ側からＹ位置の出力を取り出す。そして、取り出した出力をアンプで増幅し、サンプリングを行なう。但し、ここで、アンプ等からのノイズ混入によるバラツキを抑えるため、複数回のサンプリングを行い、平均値を採用することが望ましい。その後、Ａ／Ｄ変換を行い、そのデジタル値から、ＣＰＵによって座標を決定する。（例えば、８×８のマトリックスの場合、Ｘの電圧許容範囲（Ｘｍａｘ−Ｘｍｉｎ）を８等分し、各座標における電圧範囲を決定する。Ａ／Ｄコンバータの階調は。ＬＣＤのドット数・大きさにより、８、１０、１２Ｂｉｔを選択する。）
また、前記サンプリングからデジタル変換までの一連の動作を数十ｍｓ毎に繰り返し行い、バラツキが所定範囲内であれば、入力されたと判断することで、誤認識率を低減できる。ここで、サンプリングの繰り返し時間や回数をユーザによって可変にしておくと、更に操作性が向上する。
【０００９】
また、制御部は原稿を画像データに変換するスキャナ部２０９と複数給紙カセット１０８を有し、プリント命令により、画像データを記録紙に可視像として出力するプリンタ部２１１、画像データに各種処理を行なう画像処理部２１０とつながっている。
【００１０】
原稿給紙装置１００上に積載された原稿は一枚づつ順次搬送されて、スキャナ１０１にあるランプを照射しＣＣＤに画像信号を入力する。ＣＣＤに入力された画像情報は、画像処理部へ入力され、種々の処理を施され、画像形成装置１０７へ出力する。画像形成装置１０７に入力された信号は、露光制御部にて光信号に変換されて画像信号に従い感光体を照射する。照射光によって感光体上に作られた潜像は現像器によって、現像しその像を、転写部で転写させる。転写された像は定着された後、装置外部に排出される。排出された紙は、ソータ１０９で、ソートを行なう或いは最上位のビンに排出される。
【００１１】
次に、図１６・１７・１８のフローチャートをもとに示します。まず、ステップ１００は、電源を入れた後の、コピー可能な状態である。次に、ステップ１０１に進み、入力モード切替キーが押されたかを判断する。入力モード切替キーを押されなかった場合は、ステップ１０３に進み、通常モードになり、図２１に示すような画面が表示される。通常モードである第１の入力モードの場合は、用紙設定、ズーム、濃度、両面等がＴＯＰ画面から選択できるようになっている。
【００１２】
入力モード切替キーを押された場合は、ステップ１０２に進み、第２の入力モードに入る。以後、第２の入力モードをユーザ補助モードと記す。すると、図５の画面（１．設定）に切り替える。この画面では、用紙選択かズームを設定でき、他の設定を切り替えるための、タッチキーも用意してある。ステップ１０４では、タッチキーが押されたかを認識し、ステップ１０５に進むか１０６に進むかを判断する。ステップ１０５は、用紙設定キーが押されたと判断した場合。ステップ１０６はズームキーを押されたと判断した場合である。ステップ１０５では、図８（ａ）のような画面を表示し、所望の用紙設定キーがＡ３やＡ４Ｒであれば、どちらかを選択し、ステップ１０７に進み、用紙選択が終了する。
【００１３】
また、ユーザ補助モードにおける本発明の選択時の特徴として、図６（ａ）に記載するような境界エリアを設け、そのエリアの座標あるいはデジタル値（Ｘ、Ｙの電圧）の範囲をＲＯＭに記憶させておく。ここでは、境界のみに特定エリアを設けたが、ＬＣＤに表示されるアイコンの外を入力された場合は、すべてダイアログを表示する構成であっても良い。
【００１４】
ユーザがタッチキーを押した際に取り出したＸ、Ｙの電圧値から座標を算出する。例えば、図６（ｂ）のように、算出したＸＹ座標が、（４，０）から（４，４）であれば、用紙選択が選択される。あるいは、それぞれの入力エリアの境界におけるＸ、Ｙの電圧値（デジタル値）を設定し、タッチキーから入力されたＸ、Ｙの電圧値（デジタル値）を比較し、最も近い値を入力されたと判断する。また、その特定エリアにおいて、例えば用紙設定が選択されたと判断した場合は、図７（ａ）のようなダイアログを大きく表示させ、誤入力が無きよう、再確認を行なう。（ここでも図７（ｂ）のように境界エリアを設ける。）
また、ダイアログを表示した際は、ある所定の時間が経過したら、ＯＫと判断し、その入力コマンド（ここでは、用紙設定）が入力したと判断する。そのため、手の不自由な人の操作性が向上する。（以下も同様に、どの表示においても、境界等の特定エリアにおいては、再確認を促すが、以下の画面での説明は省略する。）また、ダイアログ表示と同時に、入力されたコマンドを音声で通知しても構わない。
【００１５】
一方、ステップ１０９に進み、次へキーが押された場合は、ステップ１１０に進む。ステップ１１０では、表示画面が図８（ｂ）のように切り替わり、その画面に所望のサイズがあれば、ステップ１１１に進む。また、ここで、所望の用紙サイズが現れるまで、次へキーを押し、用紙サイズを選択する。用紙サイズを終了するとステップ１１２に進み、更に次へキーを押すと、両面設定などが行なえる図１０に示すような２．設定に切り替わる。次へキーが押されなかった場合は、ステップ１０４に戻る。
【００１６】
ステップ１０６に進んだ場合は、図９のような画面に切り替わる。拡大キーを押すごと拡大、縮小キーを押すごとに縮小することが可能になる。所望の拡大（縮小）サイズにならば、ステップ１０８にて次へキーを押されると、ステップ１１３に進み、図１０（２．設定）に切り替わる。
【００１７】
ステップ１１３では、図１０の画面のように両面モードとソータ使用を選択可能になっている。次にステップ１１５では、タッチキーが押されたか認識し、両面キーかソータキーを判断する。両面キーが押された場合は、ステップ１１６に進み、図１１のような画面に切り替わる。ソータキーが押された場合は、ステップ１１７に進み、図１２のような画面に切り替わる。
【００１８】
ステップ１１６（図１１（ａ））では、片面読取から両面印刷を行なう（ステップ１１７）か、両面読取から両面印刷を行なうか（ステップ１１８）を選択可能になっている。また、次へキーを押すことで両面読取から片面印刷（ステップ１１９）を選択可能である。また、図１１（ｂ）のように、現在のモードは、文字が白抜きなっている。
【００１９】
ステップ１１７では、一つのジョブを複数行なう場合に、別々のビンにソートを行なうことができる。また、ステップ１２３のようにホッチキス止めをする設定も可能になっている。この設定が終了すると、ステップ１２４、１２５に進む。ここで、次へを押すとステップ１２６に進み、画面が図１３（３．設定）になる。
【００２０】
ステップ１２６では、濃度設定と、印字モードをテキストモード、写真モード、テキストと写真が混ざったミックスモードの３種類から選択できるようになっている。ステップ１２７でタッチキーが入力された場合は、濃度設定（図１４）と、印字モード設定（図１５）を判断する。
【００２１】
ステップ１２８に進んだ場合は、図１４のように画面が切り替わり、その後タッチキーを押すごとに、ステップ１２９か１３０に進むか判断し濃度を調整する。設定が終了すれば、次へキーを押すと、ステップ１３６に進み、図５の画面（１．設定）に戻る。
【００２２】
ステップ１２９（図１５）に進んだ場合は、印字モードをテキストモード（ステップ１３２）、ミックスモード（ステップ１３３）、写真モード（ステップ１３４）から選択する。選択終了後、次へキーを押されると、図５の画面（１．設定）に戻る。
【００２３】
以上のように、ＬＣＤの表示は、切り替えられるが、どの状態においても、スタートキー１０６が押されると既存の設定で読取を開始する。また、その時の読取動作モードは、給紙トレイに原稿があれば、ＡＤＦ読取が選択され、原稿がなければ、ＦＢ読取が自動的に選択される。これらにより、身障者であってもタッチパネルの誤入力を未然に防ぐことができる。また、健全者は、独立した設定画面・メニューが存在するため、健全者の操作性も悪化させることなく、実現することが出来る。
【００２４】
（第２の実施例）
ユーザ補助モードにおいて、図８のような用紙設定等、二つ以上の選択肢がある選択を行なう際に、所定時間（数十秒）経過すれば、自動的に図８（ａ）、（ｂ）が切り替えることができるようになっていることを特徴とする。また、図１９に示すように、再確認を行なうダイアログの自動認識時間と併せて、前記所定時間設定が切り替えられるようにしておくと望ましい。これによって、一番使い勝手の良い設定時間を、ユーザが選ぶことができる。
【００２５】
（第３の実施例）
ユーザ補助モードにおいては、図２０に示すように、各設定に所定の番号が振り、所定時間内に、タッチパネルをクリック、ダブルクリック、あるいはトリプルクリックすることにより、各コマンドを設定でき、所定時間を経つと、選ばれた（白抜き）画面設定や各種モードに切り替わる。現在選ばれている文字を白抜きで表示することが明確になり、誤入力されることも軽減できる。また、所定時間は、ユーザに応じて設定を可能になっている。視力身障者については、スピーカーから、音声で各設定と、押す回数を知らせてあげることで、各設定を行なうことが可能になる。
【００２６】
【発明の効果】
タッチパネル機能を持ち、且つ各種複雑な設定が可能な複写機において、手の不自由な人が操作する場合でも（例えば足やあごを使って操作するユーザでも）容易に設定、入力できるような第２の入力モードを通常モードとは独立して設けることで、タッチパネルの誤入力を未然に防ぎ、手の不自由な人を始めとした身障者が、健全者と同様に複雑な動作モードを設定及び操作を可能にし、様々なコピーが実現できるようになる。
【図面の簡単な説明】
【図１】本発明にかかる複写装置の外観図
【図２】本発明にかかる複写装置の構成を示すブロック図
【図３】一般的なアナログタッチパネルの構成
【図４】タッチパネルを制御するコントロール回路のブロック図
【図５】第２の入力モードの表示画面の一例（１．設定）
【図６】特定エリアの設定に関する一例
【図７】ダイアログ表示の一例
【図８】用紙選択時の表示一例
【図９】拡大・縮小設定の一例
【図１０】第２の入力モードの表示画面の一例（２．設定）
【図１１】両面モード設定の一例
【図１２】ソータ機能設定の一例
【図１３】第２の入力モードの表示画面の一例（３．設定）
【図１４】濃度設定画面の一例
【図１５】写真モード設定の一例
【図１６】ＴＯＰメニューからの設定処理に関するフローチャート
【図１７】２．設定からの設定処理に関するフローチャート
【図１８】３．設定からの設定処理に関するフローチャート
【図１９】所定時間設定画面の一例
【図２０】第三の実施例に係わる表示画面の一例
【図２１】通常の表示画面の一例
【符号の説明】
１００  原稿給紙装置
１０１  画像読取装置
１０２  表示部
１０３  テンキー
１０４  入力モード切替キー
１０５  ストップキー
１０６  スタートキー
１０７  画像形成装置
１０８  給紙カセット
１０９  ソータ
１１０  スピーカー
２００  制御部
２０１  ＣＰＵ
２０２  ＲＡＭ
２０３  ＲＯＭ
２０４  表示制御部
２０５  インターフェイス部
２０６  ＬＣＤ
２０７  タッチパネル
２０８  各種入力キー
２０９  スキャナ部
２１０  画像処理部
２１１  プリンタ部
【図１】
2004303154.tif 000003
【図２】
2004303154.tif 000004
【図３】
2004303154.tif 000005
【図４】
2004303154.tif 000006
【図５】
2004303154.tif 000007
【図６】
2004303154.tif 000008
【図７】
2004303154.tif 000009
【図８】
2004303154.tif 000010
【図９】
2004303154.tif 000011
【図１０】
2004303154.tif 000012
【図１１】
2004303154.tif 000013
【図１２】
2004303154.tif 000014
【図１３】
2004303154.tif 000015
【図１４】
2004303154.tif 000016
【図１５】
2004303154.tif 000017
【図１６】
2004303154.tif 000018
【図１７】
2004303154.tif 000019
【図１８】
2004303154.tif 000020
【図１９】
2004303154.tif 000021
【図２０】
2004303154.tif 000022
【図２１】
2004303154.tif 000023